(57)【要約】  タッチ動作を検出することと、前記タッチ動作が所定のタッチ条件に合うと検出した場合、タッチ動作への応答を遅延させることとを含む端末制御方法である。端末制御装置および端末更に開示する。【選択図】図１Ａ
2020509464.tif 000002
【特許請求の範囲】
【請求項１】
タッチ動作を検出することと、
前記タッチ動作が所定のタッチ条件に合うと検出した場合、タッチ動作への応答を遅延させることと、を含む、
端末制御方法。
【請求項２】
前記タッチ動作が所定のタッチ条件に合うと検出したことは、
前記タッチ動作のタッチ領域が所定の範囲内にあるか否かを判断することと、
前記タッチ動作のタッチ領域が所定の範囲内にある場合、前記タッチ動作のタッチ領域に対してパターン抽出を行い、抽出されたタッチ領域のパターンの形状が所定のパターンの形状に合致することを確定することと、を含む、
請求項１に記載の方法。
【請求項３】
前記タッチ動作のタッチ領域の形状は、ボタンに設けられた凸部の形状である、
請求項２に記載の方法。
【請求項４】
前記所定のパターンの形状は、
環状と、
三角形と、
少なくとも２つの平行な帯状と、のうちの１種を含む、
請求項２または３に記載の方法。
【請求項５】
前記タッチ動作への応答を遅延させることは、
閉蓋通知情報を送信することと、
前記閉蓋通知情報に応じてタッチ動作への応答を遅延させることと、を含む、
請求項１に記載の方法。
【請求項６】
タッチ動作への応答を遅延させた後に、前記方法は、
ホール素子からの中断メッセージを検出することと、
前記中断メッセージが検出された場合、端末が閉蓋状態にあることを確定し、スクリーンを閉じることと、
前記中断メッセージが検出されない場合、前記タッチ動作に応答することと、を更に含む、
請求項１から５のいずれか１項に記載の方法。
【請求項７】
端末に設けられ、
タッチ動作を検出するように構成されるタッチ検出ユニットと、
前記タッチ動作が所定のタッチ条件に合うと検出した場合、タッチ動作への応答を遅延させるように構成される遅延ユニットと、を備える、
端末制御装置。
【請求項８】
前記タッチ検出ユニットにより、前記タッチ動作が所定のタッチ条件に合うと検出したことは、前記タッチ動作のタッチ領域が所定の範囲内にあるか否かを判断することと、
前記タッチ動作のタッチ領域が所定の範囲内にある場合、前記タッチ動作のタッチ領域に対してパターン抽出を行い、抽出されたタッチ領域のパターンの形状が所定のパターンの形状に合致することを確定することと、を含む、
請求項７に記載の装置。
【請求項９】
前記タッチ動作のタッチ領域の形状は、ボタンに設けられた凸部の形状である、
請求項８に記載の装置。
【請求項１０】
前記所定のパターンの形状は、
環状と、
三角形と、
少なくとも２つの平行な帯状と、のうちの１種を含む、
請求項８または９に記載の装置。
【請求項１１】
前記遅延ユニットは、
閉蓋通知情報を送信し、
前記閉蓋通知情報に応じてタッチ動作への応答を遅延させる、ように構成される、
請求項７に記載の装置。
【請求項１２】
ホール素子からの中断メッセージを検出し、
前記中断メッセージが検出された場合、端末が閉蓋状態にあることを確定し、スクリーンを閉じ、
前記中断メッセージが検出されない場合、前記タッチ動作に応答する、ように構成される検出応答ユニットを更に備える、
請求項７から１１のいずれか１項に記載の装置。
【請求項１３】
請求項７から１２のいずれか１項に記載の端末制御装置を備える、
端末。
【請求項１４】
請求項１から６のいずれか１項に記載の方法を実行するように構成されるコンピュータ実行可能命令が記憶される、
コンピュータ可読記憶媒体。
【発明の詳細な説明】
【技術分野】
【０００１】
本開示は、スマート端末の技術分野に関し、例えば、端末制御方法、装置および端末である。
【背景技術】
【０００２】
スマートフォンには折りたたみ・タッチスマートフォンがあり、このような折りたたみ・タッチスマートフォンは、タッチパネルを備えるとともにボタンを備え、同時に２つの入力方式を希望するユーザを満たす。このような携帯電話は、タッチ機能を有しない折りたたみ携帯電話と同様に、携帯電話の蓋を閉じた時にスクリーンの消灯を実現する。折りたたみ・タッチスマートフォンは、スクリーンを備える上蓋がいつにボタンを備える下蓋に接近したかをホール素子によって検出することで、スクリーンの消灯を制御する。
【０００３】
しかし、折りたたみ・タッチスマートフォンのスクリーンはタッチ可能であるため、閉蓋中に、ボタンがスクリーンに接触してから、ホール素子がスクリーンの消灯をトリガするまでの時間間隔は小さい。蓋がボタンに接近する際、ホール素子の応答が間に合わないと、ボタンはタッチパネルをトリガし、誤トリガイベントを引き起こす。例えば、ユーザは閉蓋中に、ボタンがタッチパネルに接触し、且つ接触した位置にアプリケーション（Ａｐｐｌｉｃａｔｉｏｎ、ＡＰＰ）が設置されると、ボタンはタッチパネルに接触してアプリケーションを起動する。ユーザは、該アプリケーションが閉蓋状態で起動されていることを知らず、アプリケーションの誤トリガを引き起こし、ユーザ体験を低減する。
【発明の概要】
【発明が解決しようとする課題】
【０００４】
本開示は、折りたたみスマートフォンの閉蓋中に、ボタンボードがタッチパネルに接触することによる誤トリガ問題を解決できる端末制御方法、装置および端末を提出する。
【課題を解決するための手段】
【０００５】
タッチ動作を検出することと、
前記タッチ動作が所定のタッチ条件に合うと検出した場合、タッチ動作への応答を遅延させることと、を含む端末制御方法。
【０００６】
好ましくは、前記タッチ動作が所定のタッチ条件に合うと検出したことは、
前記タッチ動作のタッチ領域が所定の範囲内にあるか否かを判断することと、
前記タッチ動作のタッチ領域が所定の範囲内にある場合、前記タッチ動作のタッチ領域に対してパターン抽出を行い、抽出されたタッチ領域のパターンの形状が所定のパターンの形状に合致することを確定することと、を含む。
【０００７】
好ましくは、前記タッチ動作のタッチ領域の形状は、ボタンに設けられた凸部の形状である。
【０００８】
好ましくは、前記所定のパターンの形状は、
環状と、
三角形と、
少なくとも２つの平行な帯状と、のうちの１種を含む。
【０００９】
好ましくは、前記タッチ動作への応答を遅延させることは、
閉蓋通知情報を送信することと、
前記閉蓋通知情報に応じてタッチ動作への応答を遅延させることと、を含む。
【００１０】
好ましくは、タッチ動作への応答を遅延させた後に、前記方法は、
ホール素子からの中断メッセージを検出することと、
前記中断メッセージが検出された場合、端末が閉蓋状態にあることを確定し、スクリーンを閉じることと、
前記中断メッセージが検出されない場合、前記タッチ動作に応答することと、を更に含む。
【００１１】
端末に設けられ、
タッチ動作を検出するように構成されるタッチ検出ユニットと、
前記タッチ動作が所定のタッチ条件に合うと検出した場合、タッチ動作への応答を遅延させるように構成される遅延ユニットと、を備える端末制御装置。
【００１２】
好ましくは、前記タッチ検出ユニットにより、前記タッチ動作が所定のタッチ条件に合うと検出したことは、
前記タッチ動作のタッチ領域が所定の範囲内にあるか否かを判断することと、
前記タッチ動作のタッチ領域が所定の範囲内にある場合、前記タッチ動作のタッチ領域に対してパターン抽出を行い、抽出されたタッチ領域のパターンの形状が所定のパターンの形状に合致することを確定することと、を含む。
【００１３】
好ましくは、前記タッチ動作のタッチ領域の形状は、ボタンに設けられた凸部の形状である。
【００１４】
好ましくは、前記所定のパターンの形状は、
環状と、
三角形と、
少なくとも２つの平行な帯状と、のうちの１種を含む。
【００１５】
好ましくは、前記遅延ユニットは、
閉蓋通知情報を送信し、
前記閉蓋通知情報に応じてタッチ動作への応答を遅延させる、ように構成される。
【００１６】
好ましくは、前記装置は、
ホール素子からの中断メッセージを検出し、
前記中断メッセージが検出された場合、端末が閉蓋状態にあることを確定し、スクリーンを閉じ、
前記中断メッセージが検出されない場合、前記タッチ動作に応答する、ように構成される検出応答ユニットを更に備える。
【００１７】
上記いずれか１項に記載の端末制御装置を備える端末。
【００１８】
上記方法を実行するように構成されるコンピュータ実行可能命令が記憶される、コンピュータ可読記憶媒体。
【００１９】
少なくとも１つのプロセッサと、
前記少なくとも１つのプロセッサに通信接続されたメモリと、を備える端末であって、
前記メモリには、前記少なくとも１つのプロセッサによって実行可能な命令が記憶され、前記命令が前記少なくとも１つのプロセッサによって実行されることで、前記少なくとも１つのプロセッサに上記の方法が実行される、端末。
【図面の簡単な説明】
【００２０】
【図１Ａ】一実施例に係る端末制御方法のフローチャートである。
【図１Ｂ】一実施例に係る端末制御方法のフローチャートである。
【図２】凸部が端末に設けられた模式図である。
【図３Ａ】一実施例に係る環状の凸部の平面図である。
【図３Ｂ】一実施例に係る環状の凸部の断面図である。
【図３Ｃ】一実施例に係るボタン構造の分解図である。
【図３Ｄ】一実施例に係る三角形の凸部の平面図である。
【図３Ｅ】一実施例に係る帯状凸部の平面図である。
【図４】別の実施例に係る端末制御方法のフローチャートである。
【図５】一実施例に係る端末制御装置の構造模式図である。
【図６】一実施例に係る端末の構造模式図である。
【発明を実施するための形態】
【００２１】
図１Ａに示すように、一実施例は、以下のステップを含む端末制御方法を提出する。
【００２２】
ステップ１００において、タッチ動作を検出する。
【００２３】
ステップ２００において、前記タッチ動作が所定のタッチ条件に合うと検出した場合、タッチ動作への応答を遅延させる。
【００２４】
好ましくは、前記所定のタッチ条件は、ボタンに設けられた凸部がスクリーンに接触することによって、タッチ動作が引き起こすことを含む。
【００２５】
図２に示すように、凸部２０はスクリーンに最も近いボタン１０に設けられてもよく、閉蓋時に、凸部２０は他のボタンに対して最も早くスクリーンに接触する。ここで、３０はボタン１０が閉蓋後にスクリーンにタッチする領域である。また、凸部２０は、ボタン１０以外のボタンボードに設けられてもよく、凸部２０の厚さは、閉蓋後に凸部２０が携帯電話のタッチパネルに接触でき、且つ、携帯電話が凸部２０に接触する領域内に対応するタッチ信号を検出できるように設置される。
【００２６】
例えば、ブロック状のボタンの上、凸部は軟質突起として設けられ、凸部の厚さは、閉蓋後の携帯電話のスクリーンとボタンとの間の隙間の高さに相当し、例えば、閉蓋後に凸部がちょうど携帯電話のタッチパネルに接触し、凸部がスクリーンに押圧力を付与しないように、厚さを０．５ｍｍに設けてもよい。
【００２７】
凸部の形状は、指の操作による形状と区別できるように設置される。
【００２８】
好ましくは、前記凸部の形状（例えば、凸部のボタンにおける投影の形状）は、
環状と、
三角形と、
少なくとも２つの平行な帯状と、のうちの１種に設けられる。
【００２９】
凸部の形状が環状であるものを例として、端末制御方法について説明する。図３Ａ、図３Ｂおよび図３Ｃは、一実施例に係る環状の凸部の構造模式図である。図３Ａは、凸部２０（すなわち、凸部）の平面図であり、ハッチングのある部分は凸部であり、方形領域は図２におけるボタン１０である。図３Ｂは、図３Ａにおける凸部２０の断面線ＥＥ’に沿った断面模式図であり、凸部２０はボタン１０の上に設けられ、凸部２０の高さ（例えば、凸部２０の上面と、凸部のボタン１０に接触した平面との間の距離）は、ボタン１０の高さよりも大きくなってもよい。図３Ｃは、ボタンの分解図であり、ここで、ＥＥ’は、凸部２０のボタン１０における投影の中心を通る直線である。
【００３０】
図３Ｄは、一実施例に係る三角形の凸部の構造図である。図３Ｄに示すように、凸部２０の形状は三角形に構成されてもよい。図３Ｅは、一実施例に係る帯状の凸部の構造図である。図３Ｅに示すように、凸部２０の形状は３本の平行な帯状に構成されてもよい。
【００３１】
一実施例において、前記タッチ動作が所定のタッチ条件に合うと検出したことは、タッチ動作（例えば、閉蓋中にタッチパネルと凸部とのタッチ）による形状が予め設置された特定の形状であるか否かを検出し、タッチ動作による形状が予め設置された特定の形状である場合、タッチ動作を閉蓋中に凸部によって発生したタッチイベントとして識別することを含む。
【００３２】
一実施例において、前記タッチ動作が所定のタッチ条件に合うと検出したことは、タッチ動作が特定の領域内で発生したか否か、およびタッチ動作による形状が予め設定された特定の形状であるか否かを検出し、この２つの条件を満たすと、識別されたタッチ動作を閉蓋中に凸部によって発生したタッチ動作として識別することを含む。
【００３３】
図１Ｂに示すように、ステップ１００において、前記タッチ動作が所定のタッチ条件に合うと検出したことは、以下のステップを含む。
【００３４】
ステップ１１０において、前記タッチ動作のタッチ領域が所定の範囲内にあるか否かを判断する。
【００３５】
ステップ１２０において、前記タッチ動作のタッチ領域が所定の範囲内にある場合、前記タッチ動作のタッチ領域に対してパターン抽出を行う。
【００３６】
ステップ１３０において、抽出されたタッチ領域のパターンの形状が所定のパターンの形状に合致することを確定する。
【００３７】
好ましくは、所定のパターンの形状はボタンにおける凸部の形状に対応し、凸部の形状は、指の操作による形状と区別できるように設置される。
【００３８】
前記所定のパターンの形状は、環状と、三角形と、少なくとも２つの平行な帯状とのうちの１種を含んでもよい。
【００３９】
例えば、凸部の形状が環状に設けられた場合、所定のパターンの形状も対応する環状である。凸部の形状が三角形に設けられた場合、所定のパターンの形状も対応する三角形である。
【００４０】
ステップ１１０において、前記タッチ動作のタッチ領域が所定の範囲内にあるか否かを検出する時、所定の範囲はボタン１０に対応する領域に設けられてもよく、図３Ａに示すように、ボタン１０の４つの頂点、４つの点の座標がそれぞれ座標Ａ（Ｘａ，Ｙａ）、Ｂ（Ｘｂ，Ｙｂ）、Ｃ（Ｘｃ，Ｙｃ）、Ｄ（Ｘｄ，Ｙｄ）であり、この４つの点の位置で１つの矩形ＡＢＣＤの範囲を確定する。好ましくは、タッチ領域がこの矩形領域内にあるか否かを識別し、タッチ領域がこの矩形領域内にある場合、この矩形範囲内のタッチパネルの接触データを読み取っていくつかの計算を続行する。
【００４１】
ステップ１１０およびステップ１２０において、ＡＢＣＤ範囲の接触データを抽出し、接触した箇所と接触しない箇所との容量値が大きく異なるため、データ抽出は画像処理におけるエッジ検出アルゴリズムを採用してもよく、環状の凸部であれば、接触した画像のエッジが図３Ａにおけるハッチングのある部分のエッジに示すような楕円環状のパターンであることを迅速に識別することができる。
【００４２】
好ましくは、閉蓋時に、端末は優先的にホール素子に応答し、ホール素子が応答しないと、ボタン上の凸部が先にスクリーンにタッチする。凸部のタッチを検出すると、端末も閉蓋操作を判断することができる。画像処理アルゴリズムによってタッチ動作が所定の条件を満たすか否かを計算することで、凸部によって発生したタッチであるか否かを確定することができる。
【００４３】
例えば、図３Ａにおいて、凸部は環状（すなわち、中空の環状）であり、環状のハッチングのある部分の容量値は周囲と大きく異なる。このような環状は、ユーザのクリック、直線スライドおよび円弧タッチと区別することができるとともに、画像マッチングアルゴリズムによって計算されたタッチ動作の形状が予め設置された環状パターンであるか否かを迅速に判断することができる。好ましくは、識別度を向上させるために、類似度を調整することによってユーザのタッチ動作による形状を識別することができる。
【００４４】
画像の形状が予め設置された環状であると識別した場合、現在の携帯電話が閉蓋の状態にあると判定し、携帯電話の状態を携帯電話のメインシステムにおける上位システムに報告することができる。タッチチップが携帯電話の閉蓋によるボタンタッチであるとテストすると、携帯電話のメインシステムに報告することができる。携帯電話のメインシステムが報告されたメッセージを得ると、遅延時間（例えば、数百ミリ秒）でスクリーンのタッチに応答し、ホール素子からの中断メッセージを検出することができる。ホール中断（すなわち、ホール素子の中断）メッセージを検出すると、携帯電話が閉蓋状態にあることが確定でき、今回のタッチイベントを処理せずにタッチパネルをオフにしてもよい。
【００４５】
一実施例において、前記遅延操作は、前記タッチ動作をマスクすることを含む。
【００４６】
一実施例において、前記遅延操作は、
閉蓋通知情報を送信することと、
前記閉蓋通知情報に応じてスクリーントリガ時間を遅延させる（すなわち、前記閉蓋通知情報に応じてタッチ動作への応答を遅延させる）ことと、を含む。
【００４７】
ここで、遅延時間内にホール中断が検出された場合、タッチパネルをオフにし、遅延時間内にホール中断（すなわち、ホール素子からの中断メッセージ）が検出されないと、タッチ動作に応答し、例えば、タッチしたアプリケーションを起動する。好ましくは、凸部の厚さは０．３〜０．６ｍｍである。
【００４８】
図４は、一実施例に係る端末制御方法のフローチャートである。図４に示すように、前記方法は、タッチチップにより、タッチ動作が所定の範囲内の接触であるか否かを検出することを含み、ここで、タッチ動作のタッチ領域がＡＢＣＤ範囲内にあるか否かを判断し、タッチ動作のタッチ領域がＡＢＣＤ範囲内にある場合、ＡＢＣＤ範囲内の接触データを抽出し、タッチ動作のタッチ領域がＡＢＣＤ範囲内にない場合、対応するタッチイベントとする。タッチ領域がＡＢＣＤ範囲内にあり、且つ、パターン抽出が所定のパターンの形状に合う場合、検出結果を携帯電話システムに報告し、携帯電話システムが検出結果を得ると、一定の時間を遅延させた後に応答スクリーンを処理することができ、例えば、数百ミリ秒を遅延し、ホール素子が割り込まれた報告メッセージがあるか否かを検出することができ、遅延時間内にホール中断が検出された場合、携帯電話が閉蓋状態にあると確定し、今回のタッチイベントを処理せずにタッチパネルをオフにする。遅延時間内にホール中断が検出されないと、しばらく遅延してタッチイベントを処理する。
【００４９】
一実施例は、端末に設けられた端末制御装置を提供し、図５に示すように、端末制御装置は、タッチ検出ユニット５０と、遅延ユニット６０とを備える。
【００５０】
タッチ検出ユニット５０は、タッチ動作を検出するように構成される。
【００５１】
遅延ユニット６０は、前記タッチ動作が所定のタッチ条件に合うと検出した場合、タッチ動作への応答を遅延させるように構成される。
【００５２】
一実施例において、前記タッチ検出ユニット５０により、前記タッチ動作が所定のタッチ条件に合うかを検出することは、
前記タッチ動作のタッチ領域が所定の範囲内にあるか否かを判断することと、
前記タッチ動作のタッチ領域が所定の範囲内にある場合、前記タッチ動作のタッチ領域に対してパターン抽出を行い、抽出されたタッチ領域のパターンの形状が所定のパターンの形状に合致することを確定することと、を含む。
【００５３】
一実施例において、前記所定のパターンの形状は、
環状と、
三角形と、
少なくとも２つの平行な帯状と、のうちの１種を含む。
【００５４】
一実施例において、前記遅延ユニット６０は、
閉蓋通知情報を送信し、
前記閉蓋通知情報に応じてタッチ動作への応答を遅延させる、ように構成される。
【００５５】
一実施例において、図５に示すように、端末制御装置は検出応答ユニット６１を更に備える。
【００５６】
検出応答ユニット６１は、ホール素子からの中断メッセージを検出し、前記中断メッセージが検出された場合、端末が閉蓋状態にあることを確定し、スクリーンを閉じ、前記中断メッセージが検出されない場合、前記タッチ動作に応答するように構成される。
【００５７】
一実施例は、上記いずれかの実施例における方法を実行するように構成されるコンピュータ実行可能命令が記憶されるコンピュータ可読記憶媒体を提供する。
【００５８】
一実施例は、端末のハードウェアの構造模式図を提供する。図６に示すように、該端末は、
少なくとも１つのプロセッサ（ｐｒｏｃｅｓｓｏｒ）７０（図６において、１つのプロセッサ７０を例とする）と、メモリ（ｍｅｍｏｒｙ）７１とを備え、通信インターフェース（Ｃｏｍｍｕｎｉｃａｔｉｏｎｓ  Ｉｎｔｅｒｆａｃｅ）７２とバス７３とを更に備えてもよい。ここで、プロセッサ７０、メモリ７１および通信インターフェース７２は、バス７３を介して相互間の通信を行うことができる。プロセッサ７０は、メモリ７１内の論理命令を呼び出して上記実施例における方法を実行することができる。
【００５９】
また、上記のメモリ７１内の論理命令は、ソフトウェア機能ユニットの形式で実現でき、独立した製品として販売または使用する時に、１つのコンピュータ読み取り可能な記憶媒体に記憶されてもよい。
【００６０】
メモリ７１はコンピュータ可読記憶媒体として、ソフトウェアプログラム、コンピュータ実行可能プログラム、例えば、上記実施例における方法に対応するプログラム命令またはモジュールを記憶するために使用できる。プロセッサ７０は、メモリ７１に記憶されたソフトウェアプログラム、命令またはモジュールを実行することにより、機能アプリケーションおよびデータ処理を実行し、すなわち、上記実施例における方法を行う。
【００６１】
メモリ７１は、プログラム記憶エリアおよびデータ記憶エリアを含んでもよく、ここで、プログラム記憶エリアは操作システム、少なくとも１つの機能に必要なアプリケーションプログラムを記憶することができ、データ記憶エリアは、端末装置の使用に応じて作成されたデータ等を記憶することができる。また、メモリ７１は、高速ランダムアクセスメモリを含んでもよく、不揮発性メモリを更に含んでもよい。
【００６２】
以上の技術案は、ソフトウェア製品の形式で具現化でき、該コンピュータソフトウェア製品が１つの記憶媒体に記憶され、１台のコンピュータ装置（パーソナルコンピュータ、サーバ、またはネットワーク装置等）で上記実施例に係る方法の全てまたは一部のステップを実行するように、１つまたは複数の命令を含む。前述した記憶媒体は、ＵＳＢ、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスク等の複数種のプログラムコードが記憶可能な媒体を含む非一時的記憶媒体であってもよく、一時的記憶媒体であってもよい。
【産業上の利用可能性】
【００６３】
端末制御方法、装置および端末であって、折りたたみスマートフォンの閉蓋中に、ボタンボードがタッチパネルに接触すると、誤トリガを引き起こす可能性があるという問題を解決し、誤トリガの確率を低減する。
【図１Ａ】
2020509464.tif 000003
【図１Ｂ】
2020509464.tif 000004
【図２】
2020509464.tif 000005
【図３Ａ】
2020509464.tif 000006
【図３Ｂ】
2020509464.tif 000007
【図３Ｃ】
2020509464.tif 000008
【図３Ｄ】
2020509464.tif 000009
【図３Ｅ】
2020509464.tif 000010
【図４】
2020509464.tif 000011
【図５】
2020509464.tif 000012
【図６】
2020509464.tif 000013
【国際調査報告】
2020509464.tif 000014
2020509464.tif 000015
2020509464.tif 000016
2020509464.tif 000017